(57)【要約】      （修正有）【課題】本体起動時に、使用制限された搭載デバイスがあることをユーザに示すことの可能な情報処理装置を提供することを目的とする。【解決手段】電源スイッチを押し、コンピュータを起動しＳ１−１、ハードウェアの初期化を行うＳ１−２。次に、使用制限されているデバイスがあるかを判断できる情報を不揮発性メモリ等から取得するＳ１−３。不揮発性メモリには、どのデバイスの使用を禁止するかの情報が予め格納されている。不揮発性メモリ等から取得した情報に基づいて、使用制限されているデバイスがあるかどうか判断しＳ１−４、使用制限されているデバイスがある時Ｙｅｓは、使用制限デバイスがある旨のアイコン表示処理を行うＳ１−５，Ｓ１−６。使用制限デバイスがある旨は、使用制限されているデバイスを模したアイコン、またはデバイスの使用が制限されている事を示すアイコンを表示することにより明示することができる。【選択図】図３
2008059379.tif 000002
【特許請求の範囲】
【請求項１】
本体と、
前記本体に設けられるデバイスと、
表示装置を初期化する初期化手段と、
前記デバイスの使用を許可／禁止を設定する設定手段と、
前記初期化手段による前記表示装置の初期化後に、前記設定手段により使用が許可／禁止されているデバイスを前記表示装置に表示させる制御手段と
を備えることを特徴とする情報処理装置。
【請求項２】
前記設定手段により使用が禁止されている前記デバイスの情報を記憶する記憶手段を備え、前記制御手段は、前記記憶手段により記憶された情報に基づいて、使用が禁止された前記デバイスを前記表示装置に表示させることを特徴とする請求項１記載の情報処理装置。
【請求項３】
前記初期化手段による前記表示装置の初期化後にオペレーティングシステムを起動する起動手段を備え、前記制御手段は、前記オペレーティングシステムが起動される前に、前記設定手段により使用が禁止された前記デバイスを前記表示装置に表示させることを特徴とする請求項１記載の情報処理装置。
【請求項４】
オペレーティングシステムの制御下で動作する情報処理装置において、
本体と、
前記本体に設けられるデバイスと、
表示装置を初期化する初期化手段と、
前記初期化手段による前記表示装置の初期化後にオペレーティングシステムを起動する起動手段と、
前記デバイスの使用を許可／禁止する設定手段と、
前記設定手段により、前記デバイスの使用が許可／禁止されているかどうかの情報を記憶する記憶手段と、
前記初期化手段による前記表示装置の初期化後で前記オペレーティングシステムが起動される前に、前記設定手段により使用が許可／禁止されているデバイスを前記表示装置に表示させる制御手段と、を備えることを特徴とする情報処理装置。
【請求項５】
本体と表示装置を有する情報処理装置の制御方法において、
前記本体に電源を投入し、
前記表示装置を初期化し、
前記本体に設けられるデバイスの使用を許可／禁止し、
前記表示装置の初期化後に、前記使用が許可／禁止されているデバイスを前記表示装置に表示することを特徴とする情報処理装置の制御方法。
【請求項６】
使用が禁止されている前記デバイスの情報を取得し、
前記取得された前記デバイスの情報を記憶し、
前記表示装置の初期化後に前記使用が禁止されたデバイスを前記表示装置に表示することを特徴とする請求項５記載の情報処理装置の制御方法。
【請求項７】
前記表示装置の初期化後にオペレーティングシステムを起動し、
前記表示装置の初期化後で前記オペレーティングシステムが起動される前に、前記使用が禁止されている前記デバイスを前記表示装置に表示することを特徴とする請求項５記載の情報処理装置の制御方法。
【発明の詳細な説明】
【技術分野】
【０００１】
本発明は、情報処理装置に関し、特に情報処理装置の起動時の表示方法に関する。
【背景技術】
【０００２】
従来、情報処理装置が持つ入出力デバイスなどのハードウェアに対し、あらかじめ定められた利用者以外の第３者が不正使用を行うのを防止する技術が種々提案されている。例えば、特許文献１には、Ｂａｓｉｃ  Ｉｎｐｕｔ  Ｏｕｔｐｕｔ  Ｓｙｓｔｅｍ（以下、ＢＩＯＳと呼ぶ）の機能により、入出力デバイスを個別にロックする機能を備え、そのロックの指定／解除にパスワード入力を求める情報処理システムが記載されている。
【０００３】
利用者が、自身でロックしたデバイスを使用する場合、まずは各入出力デバイスを制御するＢＩＯＳを起動する。ＢＩＯＳはバックアップメモリを参照し、ロック指定があればパスワードの入力を求める。パスワードの照会を行い、一致した場合はロックを解除して、デバイスのアクセスと処理を行う。その後、処理が終了したら、再びロックを行う。一定時間の間にパスワードの入力がなかった場合や入力されたパスワードが不一致であった場合は、デバイスへのアクセスが拒否される。この結果、第３者の不当なアクセスが防止され、さらに不当にハードウェアアクセスを行っても、ハードウェアが使用不可となっているので、動作せず、セキュリティを保つことができる。
【特許文献１】特開平１０−１７７５２４号公報
【発明の開示】
【発明が解決しようとする課題】
【０００４】
しかし、上記の方式の場合、ＢＩＯＳの機能により情報処理装置に搭載されているデバイスの使用が制限されていても、使用が制限されているデバイスをユーザには明示していなかった。そのため、使用制限をしたことを忘れて起動した場合や、使用制限した搭載デバイスがあることを知らずに情報処理装置を起動した場合、ユーザは使用制限されている搭載デバイスが外見上故障したなどと勘違いしてしまうことがある、という問題があった。
【０００５】
そこで本発明は、本体起動時に、使用制限された搭載デバイスがあることをユーザに示すことの可能な情報処理装置を提供することを目的とする。
【課題を解決するための手段】
【０００６】
上記目的を達成するために本発明に係る情報処理装置は、本体と、前記本体に設けられるデバイスと、表示装置を初期化する初期化手段と、前記デバイスの使用を許可／禁止を設定する設定手段と、前記初期化手段による前記表示装置の初期化後に、前記設定手段により使用が許可／禁止されているデバイスを前記表示装置に表示させる制御手段とを備えることを特徴とする。
【０００７】
上記目的を達成するために本発明に係る情報処理装置の制御方法は、本体と表示装置を有する情報処理装置の制御方法において、前記本体に電源を投入し、前記表示装置を初期化し、前記本体に設けられるデバイスの使用を許可／禁止し、前記表示装置の初期化後に、前記使用が許可／禁止されているデバイスを前記表示装置に表示することを特徴とする。
【発明の効果】
【０００８】
本発明によれば、本体起動時に、使用制限された搭載デバイスがあることをユーザに示すことの可能な情報処理装置を提供することができる。
【発明を実施するための最良の形態】
【０００９】
以下本発明に係る実施の形態を、図面を参照して説明する。
【００１０】
図１は本発明の実施形態に係る情報処理装置を示す外観斜視図である。本実施形態では情報処理装置としてノート型のコンピュータを例に説明する。コンピュータ１は本体２を備え、ディスプレイユニット３はヒンジ部４を介して本体２と回動可能に取り付けられる。ディスプレイユニット３には液晶等のディスプレイ３ａが一体に設けられている。ディスプレイ３ａは画像表示を行う。
【００１１】
本体２内には複数の電子部品を搭載した回路基板が収容されている。本体２の前上面２ａにはタッチパッド５が取り付けられているとともに、本体２の後上面２ｂにはキーボード６が取り付けられている。本体２の後上面２ｂには電源スイッチ７、インジケータ８、サブディスプレイ９が設けられている。電源スイッチ７を押下することで、本体２に電源を投入し本体２を起動する。インジケータ８は、ＬＥＤの点灯や点滅等によりコンピュータ１の状態を示す。例えば、バッテリ残量や、本体２内に収納されたＨＤＤ（Ｈａｒｄ  Ｄｉｓｃ  Ｄｒｉｖｅ）が駆動中であるか、本体２がサスペンド状態であるかどうか等を示す。
【００１２】
サブディスプレイ９は、ディスプレイ３ａに代わってコンピュータ１の使用時に警告等のメッセージを表示することができる。サブディスプレイ９を使用せず、ディスプレイ３ａに全てを表示させるようにしても良い。
【００１３】
図２は本発明の実施形態に係る情報処理装置の構成を示すブロック図である。コンピュータ１の本体２内には、ＣＰＵ１０、ノースブリッジ１１、主メモリ１２、表示コントローラ１３、サウスブリッジ１５、ハードディスクドライブ（ＨＤＤ）１６、光ディスクドライブ（ＯＤＤ）１７、ＢＩＯＳ−ＲＯＭ１８、ＵＳＢマウス１９、エンベデッドコントローラ／キーボードコントローラＩＣ（ＥＣ／ＫＢＣ）２０、等が設けられている。
【００１４】
ＣＰＵ１０は、コンピュータ１の各コンポーネントの動作を制御するプロセッサである。このＣＰＵ１０は、ＨＤＤ１６から主メモリ１２にロードされる、オペレーティングシステムおよび各種アプリケーションプログラム／ユーティリティプログラムを実行する。また、ＣＰＵ１０は、ＢＩＯＳ−ＲＯＭ１８に格納されたＢＩＯＳも実行する。ＢＩＯＳはハードウェア制御のためのプログラムである。
【００１５】
ノースブリッジ１１は、ＣＰＵ１０のローカルバスとサウスブリッジ１５との間を接続するブリッジデバイスである。また、ノースブリッジ１１は、ＡＧＰ（Accelerated Graphics Port）バスなどを介して表示コントローラ１３との通信を実行する機能も有している。さらに、ノースブリッジ１１には、主メモリ１２を制御するメモリコントローラも内蔵されている。
【００１６】
表示コントローラ１３は、コンピュータ１の表示装置として使用されるディスプレイ３ａを制御する。サウスブリッジ１５は、ＰＣＩ（Peripheral Component Interconnect）バスおよびＬＰＣ（Low Pin Count）バスにそれぞれ接続されている。サウスブリッジ１５にはＵＳＢを制御するＵＳＢコントローラも内蔵されている。サウスブリッジ１５には、例えばＨＤＤ１６、ＯＤＤ１７やＵＳＢマウス１９が接続され、サウスブリッジ１５はこれらのデバイスを制御する。また、サウスブリッジ１５には、不揮発性メモリ１５ａが内蔵されている。不揮発性メモリ１５ａには、後述するように、どのデバイスの使用を禁止するかの情報が予め格納されている。
【００１７】
エンベデッドコントローラ／キーボードコントローラ（ＥＣ／ＫＢＣ）２０は、電源管理のためのエンベデッドコントローラと、タッチパッド５およびキーボード６等を制御するキーボードコントローラとが集積された１チップマイクロコンピュータである。タッチパッド５およびキーボード６はそれぞれ入力装置であり、図１に示したように、例えば、コンピュータ本体の上面上に設けられている。
【００１８】
エンベデッドコントローラ／キーボードコントローラ２０は、電源回路２１と共同して、ユーザによる電源スイッチ７の操作に応じてコンピュータ１の電源をオン／オフする。電源回路２１は、バッテリ２２、またはＡＣアダプタ２３を介して供給される外部電源を用いてコンピュータ１の各コンポーネントに供給すべきシステム電源を生成する。
【００１９】
図３は本発明の実施形態に係る情報処理装置の使用制限されているデバイスの表示動作を示すフローチャートである。電源スイッチ７を押し、コンピュータ１を起動すると（ステップ１−１）、起動時のＢＩＯＳ処理で、ハードウェアの初期化を行う（ステップ１−２）。この時、ＢＩＯＳはディスプレイ３ａ、表示コントローラ１３、主メモリ１２、不揮発性メモリ１５ａ、ノースブリッジ１１、サウスブリッジ１５、ＨＤＤ１６、ＯＤＤ１７、ＵＳＢマウス１８等の各ハードウェアの初期化を行う。ハードウェアの初期化を行った後、不揮発性メモリ１５ａの初期化が完了したら、ＢＩＯＳは不揮発性メモリ１５ａの内容を読み込む（ステップ１−３）。不揮発メモリ１５ａには、どのデバイスの使用を禁止するかの情報が予め格納されている。ＢＩＯＳにより不揮発性メモリ１５ａから、使用制限されているデバイスの情報の取得処理を行い、使用制限されているデバイスがあるかどうか判断する（ステップ１−４）。使用制限されているデバイスがない時は（ステップ１−４のＮｏ）、そのまま処理を終える。使用制限されているデバイスがある時は（ステップ１−４のＹｅｓ）、ディスプレイ３ａが表示できる状態かどうか判断する（ステップ１−５）。ディスプレイ３ａや表示コントローラ１３等の初期化が完了しておらず表示できない時は（ステップ１−５のＮｏ）、初期化の完了を待つ。ディスプレイ３ａや表示コントローラ１３等の初期化が完了し表示できる状態になったら（ステップ１−５のＹｅｓ）、使用制限デバイスがある旨のアイコンをディスプレイ３ａに表示する（ステップ１−６）。使用制限デバイスがある旨は、使用制限されているデバイスを模したアイコン、またはデバイスの使用が制限されている事を示すアイコンにより表示することができる。
【００２０】
なお、デバイスの使用制限をするには、デバイスへの電源供給を遮断する、オペレーティングシステム上でデバイスを認識させないようにする、ＢＩＯＳでのデバイスの初期化を行わない等の方法がある。
【００２１】
図４は本発明の実施形態に係る情報処理装置のロゴ表示画面を模式的に示す図である。電源スイッチ７を操作してコンピュータ１に電源を投入すると、ＢＩＯＳ処理によりディスプレイ３ａにはコンピュータ１の製造元等を示すロゴが表示される。このとき、あらかじめ使用制限をしているデバイスが一つでもあれば、コンピュータ１を起動した時のロゴ表示画面には、"Ｄｅｖｉｃｅ  Ｌｏｃｋ"の表示がされる。"Ｄｅｖｉｃｅ  Ｌｏｃｋ"の表示をして使用制限されているデバイスがあることをユーザに明示する。また"Ｄｅｖｉｃｅ  Ｌｏｃｋ"の表示だけでなく、実際に使用制限されているデバイスを表示するアイコンを一つずつ表示しても良い。例えば、図４ではＨＤＤ１６とＵＳＢマウス１９が使用制限されていることを示している。
【００２２】
図４で示したように、デバイスの使用が制限されている事を示すアイコンを表示する以外にも、コンピュータ１に設けられたインジケータ８の点灯や点滅によってユーザに対して明示することが可能である。また、使用の制限を設定したデバイスだけでなく、起動の制限を設定したデバイスがある場合にも、本実施形態により表示することができる。デバイスの使用が制限されている事を示すアイコンを、ロゴ表示時にディスプレイ３ａに対して表示しているが、例えばサブディスプレイ９に対して表示することも可能である。
【００２３】
本発明では、コンピュータ１の起動時のＢＩＯＳ処理中に、使用制限をしたデバイスの表示を行う。一般に、ＢＩＯＳ処理を終えてオペレーティングシステムを起動した後は、ユーティリティなどで使用制限をしたデバイスを見る事ができる。しかし、デバイスの使用制限をしていることを知らない、デバイスの使用制限をしたことを忘れている、等の事情でユーザがユーティリティ画面を見ないことがある。本発明のように、コンピュータ１の起動時のＢＩＯＳ処理中に表示すれば、デバイスに対する使用制限を忘れているユーザに対しても注意喚起することができる。コンピュータ１の起動時に搭載デバイスの使用が制限されている事を明示することにより、コンピュータ１の故障や不具合等が起きたとユーザが勘違いすることを防止することができる。
【００２４】
本発明を実施した場合、本体起動時にユーザに対し使用制限された搭載デバイスがあることを明示することの可能な情報処理装置を提供することができる。
【００２５】
本発明ではその主旨を逸脱しない範囲であれば、上記の実施形態に限定されるものではなく種々の変形が可能である。
【図面の簡単な説明】
【００２６】
【図１】本発明の実施形態に係る情報処理装置を示す外観斜視図。
【図２】本発明の実施形態に係る情報処理装置の構成を示すブロック図
【図３】本発明の実施形態に係る情報処理装置の使用制限されているデバイスの表示動作を示すフローチャート。
【図４】本発明の実施形態に係る情報処理装置のロゴ表示画面を模式的に示す図。
【符号の説明】
【００２７】
１…コンピュータ、２…本体、３…ディスプレイユニット、３ａ…ディスプレイ、４…ヒンジ部、５…タッチパッド、６…キーボード、７…電源スイッチ、８…インジケータ、９…サブディスプレイ、１０…ＣＰＵ、１１…ノースブリッジ、１２…主メモリ、１３…表示コントローラ、１４…、１５…サウスブリッジ、１５ａ…不揮発性メモリ、１６…ＨＤＤ、１７…ＯＤＤ、１８…ＢＩＯＳ−ＲＯＭ、１９…ＵＳＢマウス、２０…ＥＣ／ＫＢＣ、２１…電源回路、２２…バッテリ、２３…アダプタ
【図１】
2008059379.tif 000003
【図２】
2008059379.tif 000004
【図３】
2008059379.tif 000005
【図４】
2008059379.tif 000006